(57)【要約】【課題】水がキール構造体内に入らないようにした発泡材入りキール構造体のボートを提供する。【解決手段】発泡材入りキール構造のボート１００は、略管状及びＵ字形を呈す浮力体１と、浮力体１の底部に設けられる底板２と、浮力体１と底板２の後端に設けられる尾板３と、底板２の底部に設けられるキール構造体４と、を備えている。キール構造体４は、下向きに窪んだ凹状を呈し、底部に突出部４１が形成され、頂部に凹部４２が形成されている。凹部４２には、発泡材５が充填される。これにより、水がキール構造体４内に侵入することを抑制できる。【選択図】図５
2020172136.tif 000002
【特許請求の範囲】
【請求項１】
発泡材入りキール構造のボートであって、
略管状及びＵ字形を呈す浮力体と、
前記浮力体の底部に設けられる底板と、
前記浮力体と底板の後端に設けられる尾板と、
前記底板の底部に設けられるキール構造体と、
を備え、
前記キール構造体は、下向きに窪んだ凹状を呈し、底部に突出部が形成され、頂部に凹部が形成され、
前記凹部には、発泡材が充填されていることを特徴とする発泡材入りキール構造のボート。
【請求項２】
前記底板には、前記凹部に前記発泡材を注入可能な少なくとも１つの注入部が設けられていることを特徴とする請求項１に記載の発泡材入りキール構造のボート。
【請求項３】
前記キール構造体は、硬質で弾力性のある複合材料で製造されていることを特徴とする請求項１に記載の発泡材入りキール構造のボート。
【請求項４】
前記キール構造体は、ポリマーファイバーボード又はファイバー強化プラスチックで製造されていることを特徴とする請求項３に記載の発泡材入りキール構造のボート。
【請求項５】
前記発泡材は、比重の低い発泡性ポリマー材料であることを特徴とする請求項１に記載の発泡材入りキール構造のボート。
【請求項６】
前記発泡材は、発泡性合成樹脂材料であることを特徴とする請求項５に記載の発泡材入りキール構造のボート。
【発明の詳細な説明】
【技術分野】
【０００１】
本発明は、発泡材入りキール構造のボートに関し、特に浮力体の底部にキール構造が設けられたキール構造のボートに関する。
【背景技術】
【０００２】
ゴムボートまたは発泡材（フォーム）入りボートは、軽くて便利な特性を有し、特に発泡材入りボートは、より高い強度および耐荷重力を有しているため、様々な救命ボート、輸送船、釣り船等の分野に広く使用されている。
【０００３】
従来の発泡材入りボートは、その底部にボートの浮力体を支持するためのキール（竜骨、ｋｅｅｌ）構造が設けられることにより、浮力体が曲がることを抑制している。キール構造は、突出部および凹部を形成するように下向きの凹状を呈している。
【発明の概要】
【発明が解決しようとする課題】
【０００４】
キール構造に凹部を形成する目的の１つは、重量を減らすことにある。キール構造を底板の底部に配置すると、キール構造の凹部を底板で閉じることで閉じた空間を形成することができる。それに伴ってボート自体の浮力の増大も可能となる。
【０００５】
しかしながら、キール構造は、その突起部が水面下に位置するため、破損が生じる虞がある。その場合、水がキール構造内に入り、船体の浮力に影響を及ぼす。
【０００６】
本発明者はこのような事情に鑑み、検討を重ね、積極的に研究し、そして長年にわたり関連する製品の研究に従事しており継続的な実験および改良を経て本発明の構成に至った。
【０００７】
本発明の目的は、水がキール構造体内に入らないようにした発泡材入りキール構造体のボートを提供することである。
【課題を解決するための手段】
【０００８】
上記目的を達成するために、本発明に係る発泡材入りキール構造のボートは、略管状及びＵ字形を呈す浮力体と、前記浮力体の底部に設けられる底板と、前記浮力体と底板の後端に設けられる尾板と、前記底板の底部に設けられるキール構造体と、を備え、前記キール構造体は、下向きに窪んだ凹状を呈し、底部に突出部が形成され、頂部に凹部が形成され、前記凹部には、発泡材が充填されている。
【０００９】
また、本発明に係る発泡材入りキール構造のボートは、好ましくは、底板には、キール構造の凹部に発泡材を注入可能な少なくとも１つの注入部が設けられている。
【００１０】
また、本発明に係る発泡材入りキール構造のボートは、好ましくは、前記キール構造体は、軽量化と強度向上のために硬質で弾力性のある複合材料で製造されている。
【００１１】
また、本発明に係る発泡材入りキール構造のボートは、好ましくは、前記キール構造体は、軽量化と強度向上のためにポリマーファイバーボード又はファイバー強化プラスチック（ＦＲＰ）で製造されている。
【００１２】
また、本発明に係る発泡材入りキール構造のボートは、好ましくは、前記発泡材は、軽量化のために比重の低い発泡性ポリマー材料が用いられる。
【００１３】
また、本発明に係る発泡材入りキール構造のボートは、好ましくは、前記発泡材は、軽量化のため発泡性合成樹脂材料が用いられる。
【発明の効果】
【００１４】
本発明は、上記及び他の目的を達成するのに採られる技術的手段、構成要素及びその効果について、以下に好ましい実施形態を図面に合わせて説明する。
【図面の簡単な説明】
【００１５】
【図１】発泡材が注入される前のボートを示す概略分解図。
【図２】発泡材が注入される前のボートを底部から見た斜視図。
【図３】発泡材が注入される前のキール構造の一部切り欠き概略図。
【図４】発泡材が注入される前のボートを示す平面図。
【図５】発泡材が注入された後のキール構造の一部切り欠き概略図。
【発明を実施するための形態】
【００１６】
図１乃至図５に示すように、本発明に係る発泡材入りキール構造のボート１００は、略管状及びＵ字形を呈す浮力体１と、浮力体１の底部に設けられる底板２と、浮力体１と底板２の後端に設けられる尾板３と、底板２の底部に配置されたキール構造体４とを備えている。キール構造体４は、下向きに窪んだ凹状を呈し、底部に突起部４１が形成され、頂部に凹部４２が形成されている。凹部４２に発泡材５が充填されることにより、水がキール構造体４内に入ることを抑制できる。以下、その詳細については説明する。
【００１７】
図１乃至図４は、キール構造体４の凹部４２内に発泡材が充填される前のボート１００を示す概略分解図である。図５は、キール構造体４の凹部４２内に発泡材５が充填された状態を示す概略図である。
【００１８】
浮力体１、底板２及び尾板３は、例えば人や物を運ぶための堅固な浮力体を構成することができる。
【００１９】
図２に示すように、キール構造体４は、例えばホットメルト方式で底板２の底部に固定することができる。キール構造体４は、例えばゴムのような材料で製造されることが考えられる。または、キール構造体４は、ポリマー繊維板または繊維強化プラスチック（ＦＲＰ）等の硬質で弾力性のある複合材料で製造されても構わない。これにより、ボート１００の軽量化及び強度の向上を図ることができる。
【００２０】
キール構造体４は、下向きに窪んだ形状を呈しており、その底部に突起部４１が形成され、その頂部に凹部４２が形成されている。突起部４１は、種々の形状を形成することができ、例えばキール構造体４の底部は下方に凸となるように略四角錐状の突起部４１を形成させることで、ボートの竜骨のような支持機能を持たせて浮力体１を支持し、浮力体１が湾曲するのを防いでいる。また、船が前進しているときには、突起部４１が水を砕いて抵抗を低減することができ、砕波効果が向上する。また、ボートは側面から来る波を受けると、キール構造によって波が砕かれて衝撃力は減少されるため、波に順応した効果が向上する目的を達する。
【００２１】
図３に示すように、キール構造体４が底板２の底部に配置されると、底板２が凹部４２を密封すると共に密封空間を形成することができる。これにより、キール構造体４が浮力体１を支持する。また、キール構造体４に凹部４２が形成されることにより、重量を軽減するができる。
【００２２】
図４乃至５に示すように、底板２に注入口２１を設けて構わない。これにより、注入口２１を介して発泡材５を凹部４２内に簡便に注入することができる。発泡材５は、比重の低い発泡性ポリマー材料、例えば、ポリエステルアミン又はエチレン／酢酸ビニル共重合体（ＥＶＡ）等の発泡性合成樹脂材料である。
【００２３】
凹部４２内に発泡材５が充填されることにより、重量を殆ど増加させることなく、発泡材５が凹部４２に充填されるため、水がキール構造体４内に入ることを抑制できる。さらに、キール構造体４が損傷した場合であっても、水が凹部４２内に入ることを防ぐことができる。 
【００２４】
本発明は、上述した実施形態に限定されるものではなく、様々な変更設計がなされたものにも及ぶことは当然である。
【符号の説明】
【００２５】
１００・・・  発泡材入りキール構造のボート
１  ・・・  浮力体
２  ・・・  底板
２１・・・  注入口
３  ・・・  尾板
４  ・・・  キール構造体
４１・・・  突出部
４２・・・  凹部
５  ・・・  発泡材 
【図１】
2020172136.tif 000003
【図２】
2020172136.tif 000004
【図３】
2020172136.tif 000005
【図４】
2020172136.tif 000006
【図５】
2020172136.tif 000007
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
発泡材入りキール構造のボートであって、
略管状及びＵ字形を呈す浮力体と、
前記浮力体の底部に設けられる底板と、
前記浮力体と底板の後端に設けられる尾板と、
前記底板の底部に設けられるキール構造体と、
を備え、
前記キール構造体は、下向きに窪んだ凹状を呈し、底部に下方に向けて凸となるように略四角錐状の突出部が形成され、頂部に溝が形成され、
前記溝には、発泡材が充填され、
前記突出部の底面は、頂点が前記ボートの前後方向及び左右方向に向くように配置されていることを特徴とする発泡材入りキール構造のボート。
【請求項２】
前記底板には、前記溝に前記発泡材を注入可能な少なくとも１つの注入部が設けられていることを特徴とする請求項１に記載の発泡材入りキール構造のボート。
【請求項３】
前記キール構造は、硬質で弾力性のある複合材料で製造されていることを特徴とする請求項１に記載の発泡材入りキール構造のボート。
【請求項４】
前記キール構造は、ポリマーファイバーボード又はファイバー強化プラスチックで製造されていることを特徴とする請求項３に記載の発泡材入りキール構造のボート。
【請求項５】
前記発泡材は、比重の低い発泡性ポリマー材料であることを特徴とする請求項１に記載の発泡材入りキール構造のボート。
【請求項６】
前記発泡材は、発泡性合成樹脂材料であることを特徴とする請求項５に記載の発泡材入りキール構造のボート。
【手続補正２】
【補正対象書類名】明細書
【補正対象項目名】０００８
【補正方法】変更
【補正の内容】
【０００８】
上記目的を達成するために、本発明に係る発泡材入りキール構造のボートは、略管状及びＵ字形を呈す浮力体と、前記浮力体の底部に設けられる底板と、前記浮力体と底板の後端に設けられる尾板と、前記底板の底部に設けられるキール構造体と、を備え、前記キール構造体は、下向きに窪んだ凹状を呈し、底部に下方に向けて凸となるように略四角錐状の突出部が形成され、頂部に溝が形成され、前記溝には、発泡材が充填され、前記突出部の底面は、頂点が前記ボートの前後方向及び左右方向に向くように配置されている。